(57)【特許請求の範囲】
【請求項１】
ＬＡＮ回線の中継をするネットワーク中継機器のＬＡＮポートに着脱され、ＬＡＮケーブルと前記ＬＡＮ回線とを接続状態又は切断状態とするＬＡＮコネクタであって、
前記ＬＡＮ回線の通信状態を表示するコネクタ側表示部が視認可能に設けられ、
前記ネットワーク中継機器には、前記ＬＡＮ回線の通信状態を表示する機器側表示部及び当該機器側表示部を作動させるための機器側回路が設けられており、
前記コネクタ側表示部は、通信には使用されない信号線を介して前記機器側回路に接続され、前記機器側回路により作動される
ことを特徴とするＬＡＮコネクタ。
【請求項２】
前記ＬＡＮケーブルに接続されたコネクタが着脱されるアダプタであることを特徴とする請求項１に記載のＬＡＮコネクタ。
【請求項３】
前記ＬＡＮ回線の接続状態を表示する第２のコネクタ側表示部が視認可能に設けられていることを特徴とする請求項１又は請求項２に記載のＬＡＮコネクタ。
【請求項４】
直方体形状のケーシングと、ケーシングの前面側及び下面側から露出するように平行に設けられた複数のピンとを備え、
前記コネクタ側表示部は、前記ＬＡＮケーブルが延出する前記ケーシングの後面側の、前記ＬＡＮケーブルよりも上側に設けられている
ことを特徴とする請求項１又は請求項２に記載のＬＡＮコネクタ。
【発明の詳細な説明】
【技術分野】
【０００１】
本発明は、ＬＡＮコネクタに関する。
【背景技術】
【０００２】
スイッチングハブ等のＬＡＮ回線の中継をするネットワーク中継機器では、ＬＡＮケーブルの接続とＬＡＮ回線の通信状態とを表示するＬＥＤが、ＬＡＮポートに設けられている（例えば、特許文献１参照）。ここで、ＬＡＮポートには、ＬＡＮコネクタ（モジュラープラグ）が接続されるモジュラージャックが設けられており、このモジュラージャックにＬＥＤが設けられたり（例えば、特許文献２参照）、該モジュラージャックの近傍にＬＥＤが設けられたりする場合がある。
【先行技術文献】
【特許文献】
【０００３】
【特許文献１】特開２００２−１４１９１０号公報
【特許文献２】特開２００３−８０６３号公報
【発明の概要】
【発明が解決しようとする課題】
【０００４】
ところで、ＬＡＮケーブルをネットワーク中継機器から引抜く際には、当該ＬＡＮケーブルで接続されたＬＡＮ回線が通信状態ではないことをＬＥＤの消灯により確認してから行うことを要するが、ＬＡＮポートのモジュラージャックやその近傍にＬＥＤが設けられている場合には、ＬＥＤがＬＡＮケーブルで隠れることによって確認し難いことがある。
【０００５】
本発明は、上記事情に鑑みてなされたものであり、ＬＡＮ回線の通信状態を表示する表示部を容易に確認可能とすることを課題とするものである。
【課題を解決するための手段】
【０００６】
上記課題を解決するために、本発明に係るＬＡＮコネクタは、ＬＡＮ回線の中継をするネットワーク中継機器のＬＡＮポートに着脱され、ＬＡＮケーブルと前記ＬＡＮ回線とを接続状態又は切断状態とするＬＡＮコネクタであって、前記ＬＡＮ回線の通信状態を表示するコネクタ側表示部が視認可能に設けられていることを特徴とする。
【０００７】
前記ネットワーク中継機器には、前記ＬＡＮ回線の通信状態を表示する機器側表示部及び当該機器側表示部を作動させるための機器側回路が設けられ、前記コネクタ側表示部は、前記ＬＡＮ回線の通信には使用されない信号線を介して前記機器側回路に接続され、前記機器側回路により作動されてもよい。
【０００８】
前記ＬＡＮコネクタは、前記ＬＡＮ回線の通信に使用される信号線に接続され、前記ＬＡＮ回線の通信時に前記コネクタ側表示部を作動させるコネクタ側回路を備えてもよい。
【０００９】
前記ＬＡＮコネクタは、前記ＬＡＮケーブルに接続されたコネクタが着脱されるアダプタであってもよい。
【００１０】
前記ＬＡＮコネクタには、前記ＬＡＮ回線の接続状態を表示する第２のコネクタ側表示部が視認可能に設けられてもよい。
【発明の効果】
【００１１】
本発明によれば、ＬＡＮ回線の通信状態を表示する表示部を容易に確認可能とすることができる。
【図面の簡単な説明】
【００１２】
【図１】一実施形態に係るＬＡＮコネクタ及びスイッチングハブを示す斜視図である。
【図２】ＬＡＮコネクタを拡大して示す斜視図である。
【図３】スイッチングハブの回路構成の概略を示す図である。
【図４】ＬＡＮコネクタの回路構成の概略を示す図である。
【図５】ＬＡＮポートのピン１〜８で結線される信号線で伝送される信号名とその機能をまとめた表である。
【図６】他の実施形態に係るＬＡＮコネクタの回路構成の概略を示す図である。
【図７】ＬＡＮコネクタに装着されるモジュラープラグブーツを示す斜視図である。
【図８】他の実施形態に係るＬＡＮアダプタを示す斜視図である。
【発明を実施するための形態】
【００１３】
以下、図面を参照しながら、本発明を実施するための形態を説明する。図１は、一実施形態に係るＬＡＮコネクタ１０及びスイッチングハブ５０を示す斜視図である。この図に示すように、ＬＡＮコネクタ１０は、８Ｐ８Ｃ（eight positions，eight conductors）のモジュラープラグ（例えば、ＲＪ４５）であり、スイッチングハブ５０のＬＡＮポート（モジュラージャック）５２に着脱される。また、ＬＡＮコネクタ１０は、ＬＡＮケーブル３０の一端に結線されている。このＬＡＮケーブル３０は、８本の芯線を２本ずつ対でより合わせたＵＴＰ（Unshield Twisted Pair）ケーブルであり、各芯線がＬＡＮコネクタ１０の各ピンに結線されている。また、図示は省略するが、ＬＡＮケーブル３０の他端にもＬＡＮコネクタが結線されており、このＬＡＮコネクタは、パッチパネル（中継盤）や端末装置に接続される。
【００１４】
スイッチングハブ５０の正面には、多数（例えば、図示するように２行８列の１６個）のＬＡＮポート５２が設けられており、各ＬＡＮポート５２の上または下には、左右一対のＬＥＤ５３、５４が設けられている。一方のＬＥＤ５３は、ＬＡＮ回線が電気的に接続された状態になると点灯するＬＩＮＫランプであり、他方のＬＥＤ５４は、ＬＡＮ回線が通信状態になると点灯するＡＣＴランプである。
【００１５】
図２は、ＬＡＮコネクタ１０を拡大して示す斜視図である。この図に示すように、ＬＡＮコネクタ１０は、直方体形状で透明の樹脂製のケーシング１２と、ケーシング１２の上面に設けられたロック爪１４と、ケーシング１２に前面側（ＬＡＮポート５２側）及び下面側から露出するように設けられた８本の平行のピン１６と、ケーシング１２の後面側（ＬＡＮケーブル３０側）に設けられた左右一対のＬＥＤ２０、２２と、ＬＥＤ２０、２２が実装された回路基板２４、２６とを備えている。ＬＥＤ２０、２２は、発した光がケーシング１２の後面を透過するように、かつ、ＬＡＮケーブル３０より上側に配されており、ＬＥＤ２０、２２の発光の有無が、ケーシング１２の後面側から視認可能になっている。
【００１６】
図３は、スイッチングハブ５０の回路構成の概略を示す図である。この図に示すように、スイッチングハブ５０には、各ＬＡＮポート５２に対応して設けられた複数の信号回路５５及び発光回路５６が設けられている。各信号回路５５は、ＬＡＮポート５２の８本のピン１〜８に接続されている。
【００１７】
各発光回路５６は、ＬＩＮＫランプであるＬＥＤ５３に接続されたＬＩＮＫ用発光回路５６Ｌと、ＡＣＴランプであるＬＥＤ５４に接続されたＡＣＴ用発光回路５６Ａとを備えている。ＬＩＮＫ用発光回路５６Ｌは、対応するＬＡＮポート５２のリンクアップ及びリンクダウンを検出し、リンクアップの場合にＬＥＤ５３を点灯させる。また、ＡＣＴ用発光回路５６Ａは、対応するＬＡＮポート５２の所定のピン１、２、３、６と信号回路５５との間のデータ通信の有無を検出し、データ通信時にＬＥＤ５４を点灯させる。
【００１８】
ここで、ＬＩＮＫ用発光回路５６Ｌとピン４、５とが接続され、ＡＣＴ用発光回路５６Ａとピン７，８とが接続されている。
【００１９】
図４は、ＬＡＮコネクタ１０の回路構成の概略を示す図である。この図に示すように、ＬＡＮコネクタ１０では、ＬＥＤ２０を発光させる発光回路２７がピン４、５に接続され、ＬＥＤ２２を発光させる発光回路２８がピン７、８に接続されている。発光回路２７では、抵抗２９とＬＥＤ２０とが直列で接続され、発光回路２８では、抵抗２９とＬＥＤ２２とが直列で接続されている。
【００２０】
図５は、ＬＡＮポート５２のピン１〜８で結線される信号線で伝送される信号名とその機能をまとめた表である。この表に示すように、ピン１では、ＲＤ＋信号（受信データ）が入力され、ピン２では、ＲＤ−信号（受信データ）が入力される。また、ピン３では、ＴＤ＋信号（送信データ）が出力され、ピン６では、ＴＤ−信号（送信データ）が出力される。
【００２１】
ここで、ピン４、５、７、８で結線される信号線は、データ通信に使用されていない空き信号線であるが、ピン４、５で結線される信号線は、ＬＩＮＫ用発光回路５６Ｌと発光回路２７とを接続し、ピン７、８で結線される信号線は、ＡＣＴ用発光回路５６Ａと発光回路２８とを接続している。
【００２２】
即ち、ＬＩＮＫ用発光回路５６Ｌには、ＬＥＤ５３とＬＥＤ２０とが並列で接続されており、ＬＩＮＫ用発光回路５６Ｌは、対応するＬＡＮポート５２のリンクアップを検出すると、スイッチングハブ５０側のＬＥＤ５３のみならず、ＬＡＮコネクタ１０に視認可能に設けられたＬＥＤ２０をもＬＩＮＫランプとして点灯させる。また、ＡＣＴ用発光回路５６Ａには、ＬＥＤ５４とＬＥＤ２２とが並列で接続されており、ＡＣＴ用発光回路５６Ａは、対応するＬＡＮポート５２の所定のピン１、２、３、６で結線される信号線でのデータの送受を検出すると、スイッチングハブ５０側のＬＥＤ５４のみならず、ＬＡＮコネクタ１０に視認可能に設けられたＬＥＤ２２をもＡＣＴランプとして点灯させる。
【００２３】
これによって、多数のＬＡＮケーブル３０がスイッチングハブ５０のＬＡＮポート５２に接続されて、スイッチングハブ５０側のＬＥＤ５４（ＡＣＴランプ）がＬＡＮケーブル３０で隠れている場合でも、ＡＣＴランプとしてのＬＥＤ２２を容易に確認することができる。従って、データ通信中のＬＡＮケーブル３０をＬＡＮポート５２から誤って引抜くことを防止できる。また、スイッチングハブ５０側のＬＥＤ５３（ＬＩＮＫランプ）がＬＡＮケーブル３０で隠れている場合でも、ＬＩＮＫランプとしてのＬＥＤ２０を容易に確認することができ、ＬＡＮ回線の接続状態を容易に確認することができる。
【００２４】
図６は、他の実施形態に係るＬＡＮコネクタ１００の回路構成の概略を示す図である。この図に示すように、ＬＡＮコネクタ１００では、ＬＥＤ２０を発光させる発光回路２７がピン１、２に接続され、ＬＥＤ２２を発光させる発光回路２８がピン３、６に接続されている。
【００２５】
即ち、ＲＤ＋データ及びＲＤ−データが入力される信号線にＬＥＤ２０が接続されており、該信号線においてＲＤ＋データ及びＲＤ−データが入力されると、ＬＥＤ２０がＡＣＴランプとして点灯される。また、ＴＤ＋データ及びＴＤ−データが出力される信号線にＬＥＤ２２が接続されており、該信号線においてＴＤ＋データ及びＴＤ−データが出力されると、ＬＥＤ２２がＡＣＴランプとして点灯される。
【００２６】
従って、多数のＬＡＮケーブル３０がスイッチングハブ５０のＬＡＮポート５２に接続されて、スイッチングハブ５０側のＬＥＤ５４（ＡＣＴランプ）がＬＡＮケーブル３０で隠れている場合でも、ＡＣＴランプとしてのＬＥＤ２０、２２を容易に確認することができ、データ通信中のＬＡＮケーブル３０をＬＡＮポート５２から誤って引抜くことを防止できる。
【００２７】
図７は、ＬＡＮコネクタ１０、１００に装着されるモジュラープラグブーツ６０を示す斜視図である。この図に示すように、モジュラープラグブーツ６０は、ＬＡＮケーブル３０とＬＡＮコネクタ１０、１００との圧着部やロック爪１４等を保護するためのゴム製の部品である。ここで、モジュラープラグブーツ６０におけるＬＥＤ２０、２２と重なる位置には開口６２が空けられており、ＬＥＤ２０、２２が開口６２を通して視認可能となっている。なお、モジュラープラグブーツ６０を透光性材料で形成することにより、ＬＥＤ２０、２２を視認可能とすることも可能である。
【００２８】
図８は、他の実施形態に係るＬＡＮアダプタ２００を示す斜視図である。この図に示すように、ＬＡＮアダプタ２００は、ＬＥＤ２０、２２が設けられていない従来のＬＡＮコネクタ３２とスイッチングハブ５０のＬＡＮポート５２とを中継する筒型およびストレート結線式のアダプタである。このＬＡＮアダプタ２００は、直方体形状の樹脂製のケーシング２０２と、ケーシング２０２の上面に設けられたロック爪１４と、ＬＡＮコネクタ３２との接続部およびＬＡＮポート５２との接続部に夫々８本ずつ設けられたピン１６と、ケーシング２０２の後面側（ＬＡＮコネクタ３２側）に設けられた左右一対のＬＥＤ２０、２２と、回路基板２４、２６とを備えている。ケーシング２０２の後面におけるＬＡＮコネクタ３２より上側には、ＬＥＤ２０、２２から発せられた光を透過させる透光窓が設けられており、ＬＥＤ２０、２２の発光の有無が、ケーシング２０２の後面側から視認可能になっている。
【００２９】
ここで、回路基板２４、２６は上述の実施形態と同様、未使用の信号線又はデータの送受を行う信号線に接続されており、スイッチングハブ５０側のＬＥＤ５３、５４が点灯される際にＬＥＤ２０、２２を点灯させる。
【００３０】
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、一実施形態に係るＬＡＮコネクタ１０には、ＡＣＴランプたるＬＥＤ２２のみならずＬＩＮＫランプたるＬＥＤ２０も設けたが、ＡＣＴランプたるＬＥＤ２２のみを設けてもよい。また、データの通信状態を表示する表示部としてＬＥＤを用いたが、有機ＥＬ等の他の発光素子等を用いてもよい。
【符号の説明】
【００３１】
１〜８  ピン、１０  ＬＡＮコネクタ、１２  ケーシング、１４  ロック爪、１６  ピン、２０  ＬＥＤ（第２のコネクタ側表示部）、２２  ＬＥＤ（コネクタ側表示部）、２４、２６  回路基板、２７、２８  発光回路（コネクタ側回路）、２９  抵抗、３０  ＬＡＮケーブル、３２  ＬＡＮコネクタ（コネクタ）、５０  スイッチングハブ（ネットワーク中継機器）、５２  ＬＡＮポート、５３  ＬＥＤ、５４  ＬＥＤ（機器側表示部）、５５  信号回路、５６  発光回路、５６Ｌ  ＬＩＮＫ用発光回路、５６Ａ  ＡＣＴ用発光回路（機器側回路）、６０  モジュラープラグブーツ、６２  開口、１００  ＬＡＮコネクタ、２００  ＬＡＮアダプタ（ＬＡＮコネクタ）、２０２  ケーシング
【図１】
0006050001.tif 000002
【図２】
0006050001.tif 000003
【図３】
0006050001.tif 000004
【図４】
0006050001.tif 000005
【図５】
0006050001.tif 000006
【図６】
0006050001.tif 000007
【図７】
0006050001.tif 000008
【図８】
0006050001.tif 000009